(57)【要約】【課題】  構築足場に架設されている所要の踏板の側方から、折畳み自在にしてかつ通路状に迫り出した状態で取り付けることが出来る「構築足場用跳ね出し通路」と言う新しいタイプの足場構成用部材を提供するものである。【解決手段】  構築足場Ｃに架設の踏板Ｄのなかで、設置対象位置にある踏板Ｄ1を架設している建枠Ｅ1と建枠Ｅ2の間に設置するための跳ね出し通路であって、基端部において起伏自在に支持され、かつ、水平状態にあっては上記踏板Ｄ1と面一での突出状態とするための回転通路２を、当該踏板Ｄ1の側方中央部分に位置させるように設置する。【選択図】  図１
2012107460.tif 000002
【特許請求の範囲】
【請求項１】
構築足場(Ｃ)に架設の踏板(Ｄ)のなかで、設置対象位置にある踏板(Ｄ1)を架設している建枠(Ｅ1)と建枠(Ｅ2)の間に設置するための跳ね出し通路であって、
基端部において起伏自在に支持され、かつ、水平状態にあっては上記踏板(Ｄ1)と面一での突出状態とするための回転通路(２)を、当該踏板(Ｄ1)の側方中央部分に位置させるように設置したことを特徴とする構築足場用跳ね出し通路。
【請求項２】
構築足場(Ｃ)に架設の踏板(Ｄ)のなかで、設置対象位置にある踏板(Ｄ1)を架設している建枠(Ｅ1)と建枠(Ｅ2)の間に設置するための跳ね出し通路であって、
水平状態にあっては当該踏板(Ｄ1)と面一となる回転通路(２)を、当該踏板(Ｄ1)の側方中央部分に位置させた状態で起伏自在に設け、上記建枠(Ｅ1，Ｅ２)の間にしてかつ当該回転通路(２)を設けた部分の両側に、矩形柵状を呈する主体フレーム(３及び４)を立設し、更に、上記回転通路(２)の両側部には折畳み自在な安全柵(Ｈ，Ｈ)を取付けると共に、当該安全柵(Ｈ，Ｈ)はその折畳み状態にあっては、上記主体フレーム(３及び４)に重ね合わされ、更に、前記した回転通路(２)は、これを垂直状に折畳んだ際には、当該主体フレーム(３及び４)間に収められるように構成した構築足場用跳ね出し通路。
【請求項３】
構築足場(Ｃ)に架設の踏板(Ｄ)のなかで、設置対象位置にある踏板(Ｄ1)を架設している建枠(Ｅ1)と建枠(Ｅ2)の間に設置するための跳ね出し通路であって、
上記建枠(Ｅ1，Ｅ２)間にしてかつ踏板(Ｄ1)の側方に位置させるための管材等で形成した基礎パイプ(1)に対し、水平状態にあっては当該踏板(Ｄ1)と面一となる回転通路(２)を、起伏自在に取り付け、
上記回転通路(２)を取り付けた部分の両側を柵状に遮蔽するための主体フレーム(３及び４)を、上記基礎パイプ(1)の上面に立設すると共に、上記回転通路(２)はその折畳み状態にあっては、当該主体フレーム(３及び４)の間に収められるように構成し、
更に、上記回転通路(２)の両側には、主体フレーム(３及び４と)重なるような折畳みを可能とする大きさに各分割形成した安全柵(Ｈ，Ｈ)を取付け、
上記回転通路(２)の先端両隅角部には、当該回転通路(２)を水平に保つための支持用連結部材(11及び12)の一端を連結すると共に、当該支持用連結部材(11及び12)の他端は、前述した建枠(Ｅ1，Ｅ２)の所要箇所に連結するように構成した構築足場用跳ね出し通路。
【請求項４】
主体フレーム(３及び４)における内側縦枠杆(3ｂ，4ｂ)に対して、安全柵(Ｈ，Ｈ)を回転自在に取付ける共に、当該主体フレーム(３及び４)における外側縦枠杆を取付け用縦枠杆(3ａ及び4ａ)とすると共に、当該取付け用縦枠杆(3ａ及び4ａ)を適宜取付け金具の締着に基き建枠(Ｅ1，Ｅ２)に固定することに依って、当該建枠(Ｅ1，Ｅ２)部分に対して、跳ね出し通路全体の一括的設置を図るように構成した請求項２または請求項３に記載の構築足場用跳ね出し通路。
【請求項５】
水平状態にある回転通路(２)の先端に掛けるための既存の梯子(Ｇ)をアダプター的に具えてなる請求項１乃至請求項４の何れかに記載の構築足場用跳ね出し通路。
【発明の詳細な説明】
【技術分野】
【０００１】
本発明は構築足場に架設されている所要の踏板の側方から、折畳み自在にしてかつ通路状に迫り出した状態で取り付けることが出来る「構築足場用跳ね出し通路」と言う新しいタイプの足場構成用部材を提供するものである。
【背景技術】
【０００２】
従来、ケーソン工事のように、矩形状に区画されかつ四周壁が形成された部分内での工事作業、または、塀越しの部分における工事作業、若しくは、マンション・団地等が備えているベランダ内に対する工事作業のように、構築足場の踏板側方から該当現場に対する行き来を行うための昇降用梯子を掛けるに最適とする随時連結的な専用足場というものは存在しなかった。
【０００３】
この場合、構築足場に架設されている踏板の側方に直接梯子の上端を掛けることも考えられるが、当該踏板側面位置と、現場とが離れている場合は、梯子掛けが極めて緩傾斜となってしまい、昇降上の危険性を生じる事となった。  そして、当該踏板側面位置と現場とが著しく離れている場合は、構築足場の極めて高い位置に梯子を掛けなければ、等該現場に下りることが出来なかったり、極端な場合は、等該梯子掛けが不能とするような事態も生じることとなった。
【０００４】
この場合は、構築足場を介して地面に下りた後、あらためて上記現場に移動すると言うような形態を採らざるを得ないこととなるが、これでは作業性が著しく低下してしまうことは明である。  そして、上記のようにして踏板側方に梯子を直接掛けるようにした場合であっても、作業上の安全性確保と言う観点からは、著しく劣悪であると称し得るものであった。
【０００５】
なお、上述したように梯子を要する作業形態中、ベランダを具えた建物に対する工事に際して使用する専用梯子状足場として、「ベランダに対するステップ足場」という足場部材がある。（例えば、特許文献１参照。）  これは図５に示すように、台板ａの前後に梯子状脚体ｂ，ｃを設けて成る梯子枠Ａを、ベランダＢの手摺を跨ぐように、一方の梯子状脚体ｂをベランダの床面に接地させると共に、他方の梯子状脚体ｃは構築足場Ｃの所要箇所に連結し、作業員は両梯子状脚体ｂ．ｃを昇降用として利用することにより、構築足場ＣとベランダＢとの間の出入りを行うようにしたものである。
【特許文献１】実用新案登録第２５１５５２４号公報
【発明の開示】
【発明が解決しようとする課題】
【０００６】
ところで、上述したような「ベランダに対するステップ足場」の場合、ベランダＢ側からの作業員の昇降は通常の梯子のような利用が図られる。  然し乍、構築足場Ｃ側に対する梯子状脚体ｃの取り付け位置は、架設されている踏板Ｄと高さ的に合致することは殆ど無く、通常は当該踏板の下方か上方の何れかにずれた位置となるため、当該ステップ足場を利用する作業員は、構築足場の空所の下方から若しくは上方から体を潜らせて通行しなければ成らなかった。  換言すると、図５に示すように、各建枠Ｅに架設されている踏板Ｄの位置とは無関係にステップ足場を連結する関係上、作業員は構築足場の空間を利用しての出入りを行わざるを得ないものであった。  そして、当然ながら、ステップ足場の台板ａと、当該台板ａに移動するために作業員が立っている踏板Ｄとの間には、必然的に高低差が生じてしまうこととなる。  このような高低差の存在は、迅速性を要求される作業上の大きな障害となるばかりでなく、極端に言えば落下事故を招いてしまうと言うような問題が伴うことを余儀なくされた。
【０００７】
本発明は、各建枠Ｅに架設されている踏板Ｄ中において、必要とする位置にある踏板に対応するように、これと面一状となるように設置するための跳ね出し状の通路を具え、当該通路の先端を例えばベランダの上方に位置させるように臨ませると共に、当該跳ね出し状の通路の端部に、通常の梯子を掛けることによって、上述したようなベランダ等に対する出入りは勿論、既述したケーソン工事のように、矩形状に区画されかつ四周壁が形成された部分内での工事作業、または、塀越しの部分における工事作業のようにその出入りに際して梯子を要するような場合において、当該梯子掛けが極めて容易かつ安全に行われるようにした「構築足場用跳ね出し通路」という新しいタイプの足場部材の提供を図り、以って、上述したような従来の問題点を解消したものである。
【課題を解決するための手段】
【０００８】
本発明は請求項１に記載のように、構築足場Ｃに架設の踏板Ｄのなかで、設置対象位置にある踏板Ｄ1を架設している建枠Ｅ1と建枠Ｅ2の間に設置するための跳ね出し通路であって、基端部において起伏自在に支持され、かつ、水平状態にあっては上記踏板Ｄ1と面一での突出状態とするための回転通路２を、当該踏板Ｄ1の側方中央部分に位置させるように設置したことを特徴とする構築足場用跳ね出し通路に係るものである。
【０００９】
本発明は請求項２に記載のように、構築足場Ｃに架設の踏板Ｄのなかで、設置対象位置にある踏板Ｄ1を架設している建枠Ｅ1と建枠Ｅ2の間に設置するための跳ね出し通路であって、水平状態にあっては当該踏板Ｄ1と面一となる回転通路２を、当該踏板Ｄ1の側方中央部分に位置させた状態で起伏自在に設け、上記建枠Ｅ1，Ｅ２の間にしてかつ当該回転通路２を設けた部分の両側に、矩形柵状を呈する主体フレーム３及び４を立設し、更に、上記回転通路２の両側部には折畳み自在な安全柵Ｈ，Ｈを取付けると共に、当該安全柵Ｈ，Ｈはその折畳み状態にあっては、上記主体フレーム３及び４に重ね合わされ、更に、前記した回転通路２は、これを垂直状に折畳んだ際には、当該主体フレーム３及び４間に収められるように構成した構築足場用跳ね出し通路に係るものである。
【００１０】
本発明は請求項３に記載のように、構築足場Ｃに架設の踏板Ｄのなかで、設置対象位置にある踏板Ｄ1を架設している建枠Ｅ1と建枠Ｅ2の間に設置するための跳ね出し通路であって、上記建枠Ｅ1，Ｅ２間にしてかつ踏板Ｄ1の側方に位置させるための管材等で形成した基礎パイプ1に対し、水平状態にあっては当該踏板Ｄ1と面一となる回転通路２を、起伏自在に取り付け、上記回転通路２を取り付けた部分の両側を柵状に遮蔽するための主体フレーム３及び４を、上記基礎パイプ1の上面に立設すると共に、上記回転通路２はその折畳み状態にあっては、当該主体フレーム３及び４の間に収められるように構成し、更に、上記回転通路２の両側には、主体フレーム３及び４と重なるような折畳みを可能とする大きさに各分割形成した安全柵Ｈ，Ｈを取付け、上記回転通路２の先端両隅角部には、当該回転通路２を水平に保つための支持用連結部材11及び12の一端を連結すると共に、当該支持用連結部材11及び12の他端は、前述した建枠Ｅ1，Ｅ２の所要箇所に連結するように構成した構築足場用跳ね出し通路に係るものである。
【００１１】
本発明は請求項４に記載のように、主体フレーム３及び４における内側縦枠杆3ｂ，4ｂに対して、安全柵Ｈ，Ｈを回転自在に取付ける共に、当該主体フレーム３及び４における外側縦枠杆を取付け用縦枠杆3ａ及び4ａとすると共に、当該取付け用縦枠杆3ａ及び4ａを適宜取付け金具の締着に基き建枠Ｅ1，Ｅ２に固定することに依って、当該建枠Ｅ1，Ｅ２部分に対して、跳ね出し通路全体の一括的設置を図るように構成した請求項２または請求項３に記載の構築足場用跳ね出し通路を実施の対象とするものである。
【００１２】
本発明は請求項５に記載のように、水平状態にある回転通路２の先端に掛けるための既存の梯子Ｇをアダプター的に具えてなる請求項１乃至請求項４の何れかに記載の構築足場用跳ね出し通路を実施の対象とするものである。
【発明の効果】
【００１３】
本発明は請求項１に記載のような構成、すなわち、構築足場Ｃに架設の踏板Ｄのなかで、設置対象位置にある踏板Ｄ1を架設している建枠Ｅ1と建枠Ｅ2の間に設置するための跳ね出し通路であって、基端部において起伏自在に支持され、かつ、水平状態にあっては上記踏板Ｄ1と面一での突出状態とするための回転通路２を、当該踏板Ｄ1の側方中央部分に位置させるように設置したから、当該回転通路２が踏板Ｄ1の側方に延長突出された踏板部分としての使命を担わせることが出来る。
【００１４】
従って、例えばケーソン工事、塀越しの工事、或いは建物のベランダ内に対する工事等に際しては、上記回転通路２がこれらの工事現場の内部上方に入り込むように構築足場Ｃに設置することにより、これらの内部施工に従事する作業員の移動が、極めて安全な状態で行われる。  そして、当該回転通路２の先端に既存の梯子Ｇを掛けることによって、その内部に下りることが可能化される。  換言すれば、従来の構築足場にあっては、作業員の動きは架設された踏板の方向、すなわち、直線方向に限定されていたものを、本発明によれば、これと直角の方向への移動も許容化されることとなる。  従って、上記したようなケーソン工事、塀越しの工事、或いは建物のベランダ内に対する工事に対する、作業員の乗り越え移動に基く工事実行等、その作業範囲の拡大化が図られると同時に、上記のような既存の梯子の併用に基き、当該部分に下りると言うような直接的な出入りの自由化が果たされる。
そして、図５に示すような従来の方式（ベランダ工事の場合）であると、段差の存在に基き、踏板からの同一平面的な移動が出来ないために、その出入りのための通行に煩雑性が生じたが、本発明にあってはこのような問題は全く解消化される。
【００１５】
本発明は請求項２に記載のような構成、すなわち、構築足場Ｃに架設の踏板Ｄのなかで、設置対象位置にある踏板Ｄ1を架設している建枠Ｅ1と建枠Ｅ2の間に設置するための跳ね出し通路であって、水平状態にあっては当該踏板Ｄ1と面一となる回転通路２を、当該踏板Ｄ1の側方中央部分に位置させた状態で起伏自在に設け、上記建枠Ｅ1，Ｅ２の間にしてかつ当該回転通路２を設けた部分の両側に、矩形柵状を呈する主体フレーム３及び４を立設し、更に、上記回転通路２の両側部には折畳み自在な安全柵Ｈ，Ｈを取付けると共に、当該安全柵Ｈ，Ｈはその折畳み状態にあっては、上記主体フレーム３及び４に重ね合わされ、更に、前記した回転通路２は、これを垂直状に折畳んだ際には、当該主体フレーム３及び４間に収められるように構成したから、請求項１において記載した場合と同様な作用効果を奏することが出来る。
【００１６】
更に、上記建枠Ｅ1，Ｅ２の間にしてかつ当該回転通路２を設けた部分の両側に、矩形柵状を呈する主体フレーム３及び４を立設したから、作業員の安全性確保が図られる。  そして、回転通路２の両側部にも折畳み自在な安全柵Ｈ，Ｈを取付けるように構成したから、上記主体フレーム３及び４の存在も相俟って、本発明の設置部分の踏板はこれに突出状態で望まされている回転通路２部分を含めて、その全体に対する安全性付与がなされることとなる。  すなわち、横方向への移動からこれと直角な方向への移動に際しては、方向転換に基き作業員の重心が大きく変化するために、転落事故を招き易いが、本発明にあっては上記のような構成の採用に基づき、このような心配を全く回避させることとなる。
【００１７】
本発明は請求項３に記載のような構成、すなわち、構築足場Ｃに架設の踏板Ｄのなかで、設置対象位置にある踏板Ｄ1を架設している建枠Ｅ1と建枠Ｅ2の間に設置するための跳ね出し通路であって、上記建枠Ｅ1，Ｅ２間にしてかつ踏板Ｄ1の側方に位置させるための管材等で形成した基礎パイプ1に対し、水平状態にあっては当該踏板Ｄ1と面一となる回転通路２を、起伏自在に取り付け、上記回転通路２を取り付けた部分の両側を柵状に遮蔽するための主体フレーム３及び４を、上記基礎パイプ1の上面に立設すると共に、上記回転通路２はその折畳み状態にあっては、当該主体フレーム３及び４の間に収められるように構成し、更に、上記回転通路２の両側には、主体フレーム３及び４と重なるような折畳みを可能とする大きさに各分割形成した安全柵Ｈ，Ｈを取付け、上記回転通路２の先端両隅角部には、当該回転通路２を水平に保つための支持用連結部材11及び12の一端を連結すると共に、当該支持用連結部材11及び12の他端は、建枠Ｅ1，Ｅ２の所要箇所に連結するように構成したから、前述した請求項１及び請求項２において記載した場合と同様な作用効果を奏することが出来る。
【００１８】
更に、建枠Ｅ1，Ｅ２間にしてかつ踏板Ｄ1の側方に位置させるための管材等で形成した基礎パイプ1に対し、回転通路２の起伏自在の取り付けと、回転通路２の取り付け部分の両側を柵状に遮蔽するための主体フレーム３及び４の立設を行うように構成したから、別体部材が存在することなく、本発明全体の構成部材全てが当該基礎パイプ1上に一体的に結集することとなる。  従って、構築足場に対する本発明の設置作業は、一括的固定に基づき果たされるため（構成部材を個々に設置するものではないため）、その設置作業の簡便化及び迅速化が図られる。
【００１９】
本発明は請求項４に記載のような構成、すなわち、主体フレーム３及び４における内側縦枠杆3ｂ，4ｂに対して、安全柵Ｈ，Ｈを回転自在に取付ける共に、当該主体フレーム３及び４における外側縦枠杆を取付け用縦枠杆3ａ及び4ａとすると共に、当該取付け用縦枠杆3ａ及び4ａを適宜取付け金具の締着に基き建枠Ｅ1，Ｅ２に固定することに依って、当該建枠Ｅ1，Ｅ２部分に対して、跳ね出し通路全体の一括的設置を図るように構成したから、請求項１乃至請求項３において記載した場合と同様な作用効果を奏することが出来る。
【００２０】
更に、主体フレーム３及び４における内側縦枠杆3ｂ，4ｂに対して、安全柵Ｈ，Ｈを回転自在に取付けるように構成したから、当該安全柵Ｈ，Ｈの折畳みに伴い必然的に当該主体フレーム３及び４に重ね合わされることとなる。  従って、折畳み作業の迅速化、容易化が図られる。
また、主体フレーム３及び４における外側縦枠杆を取付け用縦枠杆3ａ及び4ａとすると共に、当該取付け用縦枠杆3ａ及び4ａを適宜取付け金具を介して建枠Ｅ1，Ｅ２に締着固定することに依って、当該建枠Ｅ1，Ｅ２部分に対して本発明全体の一括的設置が果たされるように構成したから、構築足場に対する本発明全体の設置作業が、極めて容易かつ迅速に達成されることとなる。
【００２１】
本発明は請求項５に記載のような構成、すなわち、水平状態にある回転通路２の先端に掛けるための既存の梯子Ｇをアダプター的に具えるように構成することにより、回転通路２に対する直接的な出入りに際する対応が即座に採ることが出来る。  すなわち、当該梯子Ｇが常備されていないと仮定した場合に生じる、これを必要の度に用意したり、他所から持ち込んだりしなければ成らない、と言うような作業管理上の煩雑性が、本発明にあっては全く解消化されることとなる。
【発明を実施するための最良の形態】
【００２２】
本発明は図５に示すように組まれた構築足場Ｃに対し、これに示されている梯子枠Ａに代えて設置するものである。  すなわち本発明は、当該構築足場Ｃに架設されている所要の踏板Ｄの側部に位置させた状態で設置するものである。
【００２３】
ところで、本発明は「構築足場用跳ね出し通路」という独立した足場部材の構成を要部とするものであり、これを構築用足場Ｃに対して取付けるための手段は、図示のように取付け金具５、６を用いて締着固定するような形態に限定されるものではなく、確固たる固定目的が果たされるものであれば、如何なる形態の取付け手段であっても良い。
そして、本発明に係る「構築足場用跳ね出し通路」は図４に示すような折畳み状態、すなわち、回転通路２を立てると共に安全枠7，8を重ねることによって、その全体を折畳んだ状態において、構築足場Ｃの建枠Ｅ1，Ｅ2に対する取付けを行い、然る後、図１乃至図３に示すように当該回転通路２を水平状に倒すと共に、安全枠7，8を広げることに依って、跳ね出し通路の形成を図って使用に供するものである。  従って、本発明は、図１乃至図３に示すように既存の構築足場Ｃに対して設置されかつ使用状態に展開された状態を主たる技術的特徴とするため、以下、このような展開状態を本発明の主体的状態として、その要部構成の説明を行う。
【００２４】
図１乃至図３に於いて、１は管材等で形成した基礎パイプであって、本発明に係る跳ね出し通路の土台的役割を果たすものである。  すなわち、当該基礎パイプ１は、構築足場Ｃにおける本発明の取付け対象位置（取付けを必要とする位置）で、相対向する建枠Ｅ1と建枠Ｅ２の間に位置させるためのものである。  換言すると、当該基礎パイプ１は、相対向する建枠Ｅ1，Ｅ２間に架設されている踏板Ｄ1と同じ高さとするような状態で並行させるように位置させるものである。  そのために、当該基礎パイプ１の長さは、相対向する建枠Ｅ1と建枠Ｅ２との間の距離と等しい長さとするように設定することが望ましい。
【００２５】
２は上記基礎パイプ1の中央部にその基端部に於いて起伏自在に枢着させた回転通路であって、図１乃至図３に示すように水平状に突出させた状態（水平状に倒した状態）とすることに依って、上述した踏板Ｄ1の中央部分から横方向（側方）に面一な状態で突出する跳ね出し通路としての役割を担うものである。  なお、図示の実施例にあっては軽量性確保のため、当該回転通路２の上面板は網目状金属板を用いているが、これは絶対的要件ではない。
【００２６】
2ａは当該回転通路２の基端両側部に固設した枢着用金具であって、前記基礎パイプ1に対して回転自在に嵌合させることによって、当該回転通路２を起伏自在に支持するように構成してある。  なお、当該枢着用金具2ａ自体は、基礎パイプ1に対して回転自在に遊嵌可能とするものであれば、通常使用されている環状の金具であっても良く、これに対する制限性は存在しない。
【００２７】
３及び４は横桟を具えた矩形柵状を呈する主体フレームであって、上記回転通路２を取付けた部分の両側部を全面的に遮蔽するように立ち上がらせた状態で、基礎パイプ１の上面に固設したものである。  そして、当該回転通路２は、その折畳み状態（垂直に立てた状態）においては、当該両主体フレーム３及び４の間に収容されるように構成してある（図４参照）。  
【００２８】
更に、矩形枠状を呈する上記両主体フレーム３及び４において、その外側にある縦枠杆は、取付け用縦枠杆3ａ及び4ａとして機能させるものであり、建枠Ｅ1と建枠Ｅ２に対して取付け金具５、６を用いて締着固定することにより、構築足場Ｃに対する本発明の取り付けが成されるように構成してある。（図３参照）  すなわち、当該締着固定に基き、建枠Ｅ1，Ｅ２部分に対して、跳ね出し通路全体の一括的設置が図られることとなる。
【００２９】
なお、上記した取付け金具5，6であるが、これは取付け用縦枠杆3ａ及び4ａを建枠Ｅ1と建枠Ｅ２対して、例えば、螺子止めに基き締着的固定作用が奏される等、取付け固定およびその取り外しが任意に可能とするものであれば、既存の金具であっても可とする。  すなわち、当該取付け金具5，6は、その緊締により建枠に対する本発明品の設置がなされ、また、足場の分解等に際してはこれを緩めることによって、その取り外しを行うことが出来るようなものであれば、如何なる形態の金具であっても可とする。
【００３０】
Ｈ，Ｈは上記した回転通路２の両側縁部分に立設するための安全柵であって、図示の実施例にあっては、基端側安全枠７と先端側安全枠８との二つの部分に分割形成すると共に、両者は枢支用金具９を介して互いに重ね合わせることが出来るように回転自在に連結してある（図２参照）。  7ａ及び8ａは幅木であって、基端側安全枠７及び先端側安全枠８の下端寄りに張設してある。  なお、上記枢支用金具９であるが、これは、基端側安全枠７と先端側安全枠８とを回転自在に蝶着可能とするものであれば、既存の金具であっても可とし、その種類は問われない。
【００３１】
そして、当該安全柵Ｈ，Ｈはその基端部において、前記した主体フレーム３及び４の内側縦枠杆3ｂ，4ｂに対して、枢支金具10を介して回動自在に支持されている（図２参照）。  当該枢支金具10であるが、これは、安全柵Ｈ，Ｈを内側縦枠杆3ｂ，4ｂに対して回転自在に蝶着可能とするものであれば、既存の金具であっても可とし、その種類は問われない。  換言すれば、前述した支用金具９と同様なものであつて可とする。
【００３２】
上記した基端側安全枠７と先端側安全枠８とを一直線状に開くことにより、回転通路２の両側は安全柵が立設されたような形態を呈し、作業員の安全性が確保されることとなる。（図１及び図２参照）  そして、当該基端側安全枠７と先端側安全柵８は夫々折畳むことに依り、主体フレーム３及び４と重ねられることとなり、本発明はその全体が扁平化状態とされる。（図４参照）  そして、本発明はこのような扁平化状態で保管及び輸送等が行われ、構築足場Ｃに対する設置も、このような扁平化状態で行われ、設置が完了した時点で、回転通路２の水平化と、安全柵Ｈ，Ｈの伸長化を図ることによって、跳ね出し通路の形成が完了することとなる。  
【００３３】
ところで、当該安全柵Ｈ，Ｈであるが、これは回転通路２の長さに即応させるものである。  従って、当該回転通路２の全長寸法を、施工上の必要に即して、長大なものを採用した場合は、当該安全柵Ｈ，Ｈは、３分割またこれ以上に分割して形成した所要数の安全枠によって構成することが必要とされる。  これは、分割形成された各安全枠は、折畳み時に主体フレーム３側と、主体フレーム４側に重ねられるように折畳む関係上、当該各安全枠の横幅は当該主体フレーム３及び４の横幅を越えてはならない、というような寸法的制限が存在するためである。
【００３４】
11及び12は支持用吊り部材であって、回転通路２を水平保持を成すために、当該回転通路２の先端両隅角部と、前述した建枠Ｅ1，Ｅ２の所要箇所（中間部からその上方寄りの任意箇所）とを連結するためのものである。  そして、当該支持用吊り部材11及び12は図示のようにチェーンに依るもの以外、紐状のもの、または杆材（棒状部材）であっても良い。  なお、図示のようなチェーンの場合は、たわむことが出来るため、回転通路２を立てた状態に転化しても、これを取外す必要が無い。  然し乍、杆材のようにたわむことが出来ない材料で形成した支持用吊り部材の場合は、回転通路２を立てる際に、先端連結部を外しておくことができる等、その着脱の自在性を具えたものとすることが要求される。
【００３５】
図２において、Ｇは市販の梯子であって、回転通路２の先端に掛けるためのものである。  すなわち、構築足場Ｃから側方に突出する回転通路２の先端を、ベランダの内部に位置させると共に、これに梯子Ｇを掛けることにより、ベランダと構築足場Ｃとの間の行き来することが出来ると共に、当該回転通路２は既述したように該当部分の踏板Ｄ1と面一状に形成されるものであるから、作業員の移動が極めて迅速かつ安全に行われることとなる。
【００３６】
なお、本発明は上記のように、ケーソン工事、塀越しの工事、或いは建物のベランダ内に対する工事の作業を行うために利用することにより、夫々の現場に対する行き来の可能化と、当該行き来の安全性確保が図られることとなる。  換言すると、構築足場に架設されている踏板の側方に突出する踏板的足場の存在は、従来、既存の構築足場の形態から難しいとされた各種目的のための作業用の利用が図られることとなる。
【００３７】
なお、構築作業中に突出する回転通路２の存在が邪魔または不要となった際は、図４に示すように、これを立てておくと共に、安全柵Ｈ，Ｈも折畳んで主体フレーム３及び４に重ねておくことにより、このような邪魔性等の解消化が図られる。
【図面の簡単な説明】
【００３８】
【図１】本発明の平面図である。
【図２】本発明の側面図である。
【図３】本発明の正面図である。
【図４】本発明の折畳み状態を表した正面図である。
【図５】従来における一つの例を表した斜視図である。
【符号の説明】
【００３９】
ａ  台板
ｂ  梯子状脚体
ｃ  梯子状脚体
Ａ  梯子枠
Ｂ  ベランダ
Ｃ  構築足場
Ｄ  踏板
Ｄ1  所要の踏板
１  基礎パイプ
Ｅ1，Ｅ２  相対向する建枠
２  回転通路
2ａ 枢着用金具
３  主体フレーム
3ａ 取付け用縦枠杆
3ｂ 内側縦枠杆
４  主体フレーム
4ａ 取付け用縦枠杆及
4ｂ 内側縦枠杆
５  取付け金具
６  取付け金具
Ｈ  安全柵
７  基端側安全枠
7ａ 幅木
８  先端側安全枠
8ａ 幅木  
９  枢支用金具
10  枢支金具
11  支持用連結部材
12  支持用連結部材
Ｇ  市販の梯子
【図１】
2012107460.tif 000003
【図２】
2012107460.tif 000004
【図３】
2012107460.tif 000005
【図４】
2012107460.tif 000006
【図５】
2012107460.tif 000007